Podtech/llm-jp-corpus-v4-ja_patent huggingface dataset:
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の当否判定を行う当否判定手段と、
前記絵柄の循環表示を停止させるべく操作される停止操作手段と
を備えた遊技機において、
前記役の当否判定に当選した場合に当選役を示す当選情報を記憶する当選情報記憶手段と、
前記当選情報記憶手段に第１特別役に当選したことを示す第１特別役当選情報が記憶され、第１特別絵柄が有効位置に停止した場合、遊技状態を第１特別遊技状態に移行させる第１特別遊技状態移行手段と、
前記当選情報記憶手段に前記第１特別役当選情報が記憶されている場合、前記第１特別絵柄が前記有効位置に停止するまで前記第１特別役当選情報を保持する保持手段と、
前記当選情報記憶手段に第２特別役に当選したことを示す第２特別役当選情報が記憶され、第２特別絵柄が前記有効位置に停止した場合、遊技状態を第２特別遊技状態に移行させる第２特別遊技状態移行手段と、
前記当選情報記憶手段に前記第２特別役当選情報が記憶されている場合、前記第２特別絵柄が前記有効位置に停止するまで前記第２特別役当選情報を保持する第２保持手段と、
前記当選情報記憶手段に規定役に当選したことを示す規定役当選情報が記憶され、規定絵柄が前記有効位置に停止した場合、遊技者に規定特典を付与する規定特典付与手段と、
前記当選情報記憶手段に前記第１特別役当選情報と前記規定役当選情報が共に記憶されている場合、前記第１特別絵柄を前記有効位置に停止させることが不可能であれば前記規定絵柄を前記有効位置に停止させるべく前記循環表示手段を停止制御する第１停止制御手段と、
前記当選情報記憶手段に前記規定役当選情報が記憶されている一方で前記第１特別役当選情報が記憶されていない場合、前記規定絵柄が前記有効位置に停止することを回避させるべく前記循環表示手段を停止制御する第２停止制御手段と
を備え、
前記循環表示手段には、前記規定絵柄を形成する所定絵柄と、前記第２特別絵柄を形成する特定絵柄を、前記所定絵柄を前記有効位置に到達させることが可能なタイミングで前記停止操作手段が操作された場合、前記特定絵柄を前記有効位置に停止させることができる位置関係で配置し、前記第２停止制御手段を、前記当選情報記憶手段に前記第２特別役当選情報と前記規定役当選情報が共に記憶されている場合、前記特定絵柄を前記有効位置に停止させるべく前記循環表示手段を停止制御する構成としたことを特徴とする遊技機。
【請求項２】
前記循環表示手段には、前記停止操作手段が操作されてから前記絵柄の循環表示を停止させるまでの間に所定位置を通過させることができる最大絵柄数以下の間隔で前記特定絵柄が配置された特定区間が形成されるように前記絵柄を配置するとともに、前記特定区間にのみ前記所定絵柄を配置したことを特徴とする請求項１に記載の遊技機。
【請求項３】
前記循環表示手段には、前記所定絵柄と、前記特別絵柄を形成する第２特定絵柄を、前記所定絵柄を前記有効位置に到達させることが可能なタイミングで前記停止操作手段が操作された場合、前記第２特定絵柄を前記有効位置に停止させることができず、前記第２特定絵柄を前記有効位置に到達させることが可能なタイミングで前記停止操作手段が操作された場合、前記所定絵柄を前記有効位置に停止させることができない位置関係で配置し、前記第１停止制御手段を、前記規定絵柄を前記有効位置に停止させることが不可能であって前記特別絵柄を前記有効位置に停止させることが可能である場合、前記特別絵柄を前記有効位置に停止させるべく前記循環表示手段を停止制御する構成としたことを特徴とする請求項１又は請求項２に記載の遊技機。
【請求項４】
前記当否判定手段を、前記当選情報記憶手段に前記第１特別役当選情報が記憶されていない状況において前記第１特別役と前記規定役に共に当選となる機会が発生する構成としたことを特徴とする請求項１乃至請求項３のいずれかに記載の遊技機。
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
前記絵柄の循環表示を開始させるべく操作される開始操作手段と、
役の抽選を行う抽選手段と、
前記絵柄の循環表示を停止させるべく操作される停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
特定期間を設定する特定期間設定手段と、
前記特定期間に第１条件が成立したか否かを判定する第１判定手段と、
前記特定期間に前記第１条件が成立した場合、第２条件が成立したか否かを判定する第２判定手段と、
前記特定期間に前記第２条件が成立しなかったことに基づいて、第１遊技状態に移行させる第１遊技状態移行手段と、
前記特定期間に前記第２条件が成立したことに基づいて、前記第１遊技状態よりも遊技者に有利な第２遊技状態に移行させる第２遊技状態移行手段と、
前記特定期間に前記第１条件が成立しなかった場合、第１結果を記憶し、前記特定期間に前記第１条件が成立するとともに前記第２条件が成立しなかった場合、第２結果を記憶する記憶手段と、
前記記憶手段の記憶結果に基づいて、前記第１遊技状態から前記第２遊技状態に移行させるか否かを決定する決定手段と
を備え、
前記第１条件と前記第２条件の少なくとも一方は、前記停止操作手段に特定操作がなされた場合に成立するものであって、前記第１遊技状態から前記第２遊技状態に移行するまでに要する前記第１遊技状態下での遊技回数の期待値は、前記記憶手段に前記第１結果が記憶されている場合の方が、前記記憶手段に前記第２結果が記憶されている場合よりも少ないことを特徴とする遊技機。
【請求項２】
前記役の抽選結果が所定役当選であって、前記停止操作手段に前記特定操作がなされた場合、所定停止出目を前記有効位置に停止させるべく前記循環表示手段を停止制御する停止制御手段を備え、前記第１判定手段は、前記役の抽選結果が前記所定役当選である場合に前記第１条件が成立したと判定し、前記第２判定手段は、前記有効位置に前記所定停止出目が停止した場合に前記第２条件が成立したと判定することを特徴とする請求項１に記載の遊技機。
【請求項３】
前記停止操作手段に所定操作がなされた場合に入賞を成立させることができる第２所定役と、前記役の抽選結果が前記第２所定役当選である場合に前記所定操作を示唆する所定操作示唆手段と、を備え、前記所定操作示唆手段は、遊技状態が前記第２遊技状態である場合、遊技状態が前記第１遊技状態である場合よりも高い頻度で前記所定操作を示唆することを特徴とする請求項１又は請求項２に記載の遊技機。
【請求項４】
前記特定操作及び前記所定操作は、所定位置に付された絵柄が所定位置に到達した際に前記停止操作手段を操作するタイミング操作であることを特徴とする請求項３に記載の遊技機。
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
ハウジングと、
止具を打撃するブレードと、
該ブレードが装着されると共に、該ハウジング内に配置されて移動軸上を往復動可能なプランジャと、
該移動軸上に配置され該プランジャが衝突して軸方向一方側死点を規定するバンパと、
該バンパを受ける受面と、該受面に対して反バンパ側に位置し該移動軸方向を螺進退方向とする第一ネジ部と、該受面に対して反バンパ側に位置するホルダ側座面とを有するバンパホルダと、
該第一ネジ部と螺合する第二ネジ部と、該ホルダ側座面と対峙しネジ部側座面とを有し、該バンパホルダに対し移動軸周りに回転して該バンパホルダの該移動軸方向における位置を規定するネジ部材と、
該ホルダ側座面と該ネジ部側座面との間に配置された弾性体と、を備えることを特徴とする打込機。
【請求項２】
該バンパホルダは、該移動軸周りの一定の回転角の範囲において回転可能に該ハウジングに保持され、
該ネジ部材は、該移動軸周りに回転可能であると共に該移動軸方向一方側へ移動不能に該ハウジングに保持されていることを特徴とする請求項１に記載の打込機。
【請求項３】
該ハウジングには、該ネジ部材の一部が外部に露出する開口が形成され、
該ネジ部材は、該移動軸周りにおける外周に該ネジ部材を回転させる操作部が設けられると共に該操作部が該開口から露出することを特徴とする請求項１または請求項２のいずれかに記載の打込機。
【請求項４】
該弾性体の該移動軸方向の変位に係るバネ定数は、該ホルダ側座面が該ネジ部側座面と接触する場合における該第一ネジ部のバネ定数より小さいことを特徴とする請求項１乃至請求項３のいずれか一に記載の打込機。
【請求項５】
該ホルダ側座面と該ネジ部側座面とが近接するように該ネジ部材に回転トルクが掛けられた状態において、該弾性体は弾性変形領域内にあることを特徴とする請求項１から請求項４のいずれか一に記載の打込機。
【請求項６】
該第一ネジ部は雄ネジから構成されると共に該ホルダ側座面から該移動軸方向一端側に向けて突出し、
該第二ネジ部は雌ネジから構成されると共に該ネジ部側座面に該雌ネジの開口が形成されていることを特徴とする請求項１乃至請求項５のいずれか一に記載の打込機。
【手続補正２】
【補正対象書類名】明細書
【補正対象項目名】００１１
【補正方法】変更
【補正の内容】
【００１１】
該弾性体の該移動軸方向の変位に係るバネ定数は、該ホルダ側座面が該ネジ部側座面と接触する場合における該第一ネジ部のバネ定数より小さいことが好ましい。
【手続補正３】
【補正対象書類名】明細書
【補正対象項目名】００１５
【補正方法】変更
【補正の内容】
【００１５】
また該第一ネジ部は雄ネジから構成されると共に該ホルダ側座面から該移動軸方向一端側に向けて突出し、該第二ネジ部は雌ネジから構成されると共に該ネジ部側座面に該雌ネジの開口が形成されていることが好ましい。
【手続補正４】
【補正対象書類名】明細書
【補正対象項目名】００６３
【補正方法】変更
【補正の内容】
【００６３】
次に、図１０に比較例としてＯリングが無い状態による追い締め時の説明図を示す。図１０（ａ）はバンパホルダ６５及びアジャスタ６６の上下及び前後に伸びる平面で切った断面、図１０（ｂ）はホルダ部側座面６５Ｃ及びネジ部側座面６６Ｂの接触部分と雄ネジ部６５Ｂとの断面である。雄ネジ部６５Ｂのバネ定数ｋ2、雄ネジ部６５Ｂの上下方向の長さＬ2と定義する。雄ネジ部のバネ定数ｋ2は、バンパホルダ６５の縦弾性係数Ｅ2、雄ネジ部６５Ｂの断面積Ａ2によって定められる。追い締め時、長さＬ2の雄ネジ部６５Ｂが引張変形δ2を生じ、バネ定数ｋ2に比例した変形荷重ｆ2（=ｋ２×δ２）を生じる。さらに、アジャスタ６６の接触面においての中心半径Ｒ2を採る位置には、変形荷重ｆ2に比例した摩擦力μ2ｆ2が生じるため、追い締めが発生した状態でアジャスタ６６を回転させるのに必要な回動トルクＴ2はＴ2=μ2ｆ2×Ｒ2=μ2ｋ2δ2Ｒ2となる。ここで中心半径Ｒ２は、ホルダ部側座面６５Ｃ及びネジ部側座面６６Ｂの中心から、ホルダ部側座面６５Ｃ及びネジ部側座面６６Ｂの接触部分の半径方向における中心までの距離である。
【手続補正５】
【補正対象書類名】明細書
【補正対象項目名】００６４
【補正方法】変更
【補正の内容】
【００６４】
前述の定義に基づき、実際の値で比較する。バネ定数はＯリング６７がｋ１＝１８１Ｎ／ｍｍ、バンパホルダ６５の雄ネジ部６５Ｂがｋ2＝１２８０×１０３Ｎ／ｍｍである。摩擦係数はμ１＝０．２、μ2＝０．２である。そして、それぞれの変位量は、本発明におけるバンパホルダのガタ分での移動量である、δ１＝０．０５ｍｍ、δ２＝０．０５ｍｍと設定する。また中心半径は、Ｒ１＝５．７５ｍｍ、Ｒ２＝７．５ｍｍである。この値において、実施の形態における回動トルクは、Ｔ１＝１０．４Ｎｍｍとなる。なお、比較例における回動トルクは、Ｔ２＝９６０００Ｎｍｍとなる。この比較例の状態では、作業者がアジャスタ６６を調整することが不能になる。
【手続補正書】
【提出日】平成24年3月13日(2012.3.13)
【手続補正１】
【補正対象書類名】特許請求の範囲
【補正対象項目名】請求項１
【補正方法】変更
【補正の内容】
【請求項１】
ハウジングと、
止具を打撃するブレードと、
該ブレードが装着されると共に、該ハウジング内に配置されて移動軸上を往復動可能なプランジャと、
該プランジャを該移動軸方向一方側に付勢するバネと、
ハウジングに保持され該バネを圧縮するモータと、
該バネと該モータとの間に介在し該バネを該移動軸方向他方側へと移動させる回転体と、
該回転体の回転軸方向における端面に配置された突起部と、
該突起部と接触して該回転体の回転角度位置を検出する角度位置検出機構とを有し、
該角度位置検出機構は、該回転体の回転軸と略平行に延びるピンと、該ピンに回動可能に軸支され、該突起部に当接する位置と該突起部に非当接の位置との間で回動するレバーと、該レバーが該当接位置に回動した状態で該レバーを検出する検出部と、を備え、該検出部は該回転体の外周と対向する位置に配置されていることを特徴とするバネ式打込機。
【手続補正２】
【補正対象書類名】明細書
【補正対象項目名】０００７
【補正方法】変更
【補正の内容】
【０００７】
上記課題を解決するために本発明は、ハウジングと、止具を打撃するブレードと、該ブレードが装着されると共に、該ハウジング内に配置されて移動軸上を往復動可能なプランジャと、該プランジャを該移動軸方向一方側に付勢するバネと、ハウジングに保持され該バネを圧縮するモータと、該バネと該モータとの間に介在し該バネを該移動軸方向他方側へと移動させる回転体と、該回転体の回転軸方向における端面に配置された突起部と、該突起部と接触して該回転体の回転角度位置を検出する角度位置検出機構とを有し、該角度位置検出機構は、該回転体の回転軸と略平行に延びるピンと、該ピンに回動可能に軸支され、該突起部と当接する位置と該突起部と非当接の位置との間で回動するレバーと、該レバーが該接触位置に回動した状態で該レバーを検出する検出部とを備え、該検出部は該回転体の外周と対向する位置に配置されているバネ式打込機を提供する。
【手続補正３】
【補正対象書類名】明細書
【補正対象項目名】００５０
【補正方法】変更
【補正の内容】
【００５０】
図２に示されるように、角度位置検出機構８は、レバーピン８１とスイッチレバー８２と、本発明の「検出部」に相当するマイクロスイッチ８３とから構成されている。レバーピン８１は、ギアホルダ２５の前面であってファイナルギア４２上方に、前後方向を軸方向として装着されている。スイッチレバー８２は、レバーピン８１に回動可能に軸支され、突起部４２Ａと当接する当接位置と突起部４２Ａと非当接の初期位置との間で移動可能であり、図５に示されるように、突起部４２Ａの突出量より薄い板厚の金属板が折り曲げられて略Ｌ字状を成すように構成されている。スイッチレバー８２の断面略Ｌ字状を成す一片であって前後方向と直交する板部分に突起部当接部８２Ａが規定され、略Ｌ字状を成す他片であって前後方向と平行な板部分に検出部当接部８２Ｂが規定されている。
【手続補正書】
【提出日】平成24年3月13日(2012.3.13)
【手続補正１】
【補正対象書類名】特許請求の範囲
【補正対象項目名】請求項１
【補正方法】変更
【補正の内容】
【請求項１】
ハウジングと、
止具を打撃するブレードと、
該ブレードが装着されると共に、該ハウジング内に配置されて移動軸上を往復動可能なプランジャと、
該プランジャを該移動軸方向一方側に付勢するバネと、
該ハウジングに保持されたモータと、
該モータの回転によって回転し、回転軸方向に突出した掛止部を有する回転体と、
該プランジャに設けられ、該移動軸と交差する方向に延び、該掛止部に掛止される被掛止部を有し、該回転体が回転することで該プランジャを該移動軸方向他方側へ移動させ、該バネを圧縮させるバネ式打込機において、
該掛止部は、該端面から延出され該回転軸から離間した位置に配置される基部と該基部の先端に位置するフランジ部とを備えるピンと、該ピンに装着され該ピンの軸を回転軸として回転するローラとを有し、該ローラには、内周が該フランジ部外周と摺動する第一孔部と、該第一孔部と連通し該基部が挿通されると共に該フランジ部外周より小径の第二孔部とが形成されており、該回転体が該プランジャを該移動軸方向他方側へ移動させる際の荷重を該第一孔部と該フランジ部外周で受けるようにしたことを特徴とするバネ式打込機。
【手続補正２】
【補正対象書類名】明細書
【補正対象項目名】０００７
【補正方法】変更
【補正の内容】
【０００７】
上記課題を解決するために本発明は、ハウジングと、止具を打撃するブレードと、該ブレードが装着されると共に、該ハウジング内に配置されて移動軸上を往復動可能なプランジャと、該プランジャを該移動軸方向一方側に付勢するバネと、該ハウジングに保持されたモータと、該モータの回転によって回転し、回転軸方向に突出した掛止部を有する回転体と、該プランジャに設けられ、該移動軸と交差する方向に延び、該掛止部に掛止される被掛止部を有し、該回転体が回転することで該プランジャを該移動軸方向他方側へ移動させ、該バネを圧縮させるバネ式打込機において、該掛止部は、該端面から延出され該回転軸から離間した位置に配置される基部と該基部の先端に位置するフランジ部とを備えるピンと、該ピンに装着され該ピンの軸を回転軸として回転するローラとを有し、該ローラには、内周が該フランジ部外周と摺動する第一孔部と、該第一孔部と連通し該基部が挿通されると共に該フランジ部外周より小径の第二孔部とが形成されており、該回転体が該プランジャを該移動軸方向他方側へ移動させる際の荷重を該第一孔部と該フランジ部外周で受けるようにしたバネ式打込機を提供する。
【手続補正書】
【提出日】平成24年9月20日(2012.9.20)
【手続補正１】
【補正対象書類名】明細書
【補正対象項目名】０００９
【補正方法】変更
【補正の内容】
【０００９】
請求項１の発明では、ストレッチャーなどのボトム側縁に設けるサイドレールの保持機構であって、前記ボトムを構成するボトム支持フレームの側縁部に対して平行かつ同一軸心となるように第一支持軸と第二支持軸を止着し、該第一支持軸には弾性体を介在させて第一取付部材を軸承するとともに、該第一取付部材をサイドレールボードに止着し、前記第二支持軸には凹状切欠または爪部を設け、該凹状切欠または爪部に係合する爪部または凹状切欠を備えたロック部材を前記第二支持軸に軸承し、前記第二支持軸に対して回転自在かつ軸方向に移動しないよう構成したスライド規制部材により前記凹状切欠と爪部との係合部を覆い、該スライド規制部材と前記ロック部材間に上下回動自在なロック解除レバーを配設し、該ロック解除レバーの回動により前記スライド規制部材とロック部材を接離操作可能に構成する一方、前記サイドレールボードが立設状態となるときに前記凹状切欠と爪部が係合するように該サイドレールボードの一端部を前記ロック部材に取り付けることで上記弾性体の付勢力を前記凹状切欠と爪部が係合する方向に作用させ、また、前記第二支持軸の反係合部側には軸方向の水平規制孔を設け、該第二支持軸と前記ロック部材の内部に水平保持軸を挿通するに、該水平保持軸の一方にはノブを止着するとともに該ノブと前記第二支持軸間に弾性体を介在させ該水平保持軸をノブ側に付勢し、前記水平保持軸の他方には前記水平規制孔内を摺動する保持ピンと該保持ピンから反ノブ側に離間して水平保持ピンを止着し、前記水平保持軸の反ノブ側端部には第二取付部材を軸承するとともに該第二取付部材をサイドレールボードに止着するに、前記第二取付部材の軸受には前記水平保持軸が通過可能な軸方向のスライド孔と該軸受の周方向の回動孔を連続させてなるＬ字状のガイド孔を設けることにより、前記ロック解除レバーを回動し凹状切欠と爪部の係合を解除することで立設状態のロックが解除され下方回動自在とし、前記水平保持軸のノブを弾性体に抗して押し込み前記水平保持軸を前記スライド孔内に移動させた後、前記ロック解除レバーを回動し前記凹状切欠と爪部の係合を解除することで立設状態のロックが解除されるとともに前記水平保持ピンが前記回動孔に沿って相対的に移動する範囲内で回動するよう構成することにより、サイドレールが立設状態にあるときには回動不能な状態になるようロックされ、サイドレールが水平状態にあるときには上方回動自在な状態で保持され、それ以外の状態では回動自在な状態となるよう構成したことを特徴とする。
請求項２の発明では、上記ロック解除レバーには回動の基点となる取付孔を設ける一方、該取付孔を中心とした円弧に沿う規制孔と該規制孔の下端部に連続するとともに前記取付孔から徐々に離間する方向のスライド孔を設け、該ロック解除レバーの前記取付孔を上記ロック部材に回動自在に支承するとともに該ロック解除レバーを下方回動側に付勢するスプリングを配し、前記規制孔あるいはスライド孔内を相対的に移動する規制軸を上記スライド規制部材に軸着し、上記凹状切欠と爪部が係合した状態では前記規制軸が規制孔に位置するよう構成し、前記ロック解除レバーの上方回動に伴い前記規制軸がスライド孔を移動して第二支持軸からロック部材が離間し前記凹状切欠と爪部の係合が解除されるよう構成したことを特徴とする。
請求項３の発明では、上記ロック部材に回動自在に支承したロック解除レバーには回動の基点を中心とした円弧状の規制孔を設け、該規制孔内を相対的に移動する規制軸を上記スライド規制部材に軸着し、前記ロック解除レバーの上方回動時に前記規制孔の下端部に前記規制軸が位置するよう構成するとともに、該規制孔の下端に前記ロック部材の軸心と平行になるスライド孔を連続して設けることにより、上記サイドレールボードをスライド操作して上記凹状切欠と爪部の係合を解除するよう構成したことを特徴とする。
【手続補正２】
【補正対象書類名】明細書
【補正対象項目名】００１４
【補正方法】変更
【補正の内容】
【００１４】
まず、前記第一支持軸７は、前記フレームパイプ６ｂに固着される大径軸部７ａと小径軸部７ｂとからなる段付きの軸体である。
一方、前記第二支持軸８は、大径部８ａと小径部８ｂとからなる中空の筒体であって大径部８ａ側の端部に水平長孔状の水平規制孔８ｃを設け、大径部８ａと小径部８ｂとの段付き部には凹状切欠８ｄを設けるとともに、上記フレームパイプ６ｂとの固着部と該凹状切欠８ｄの間に位置するように大径部８ａの外周にわたってスライド規制溝８ｅを設けている。なお、該第二支持軸８の内部はほぼ同径となる空孔部８ｆとしている。
【手続補正書】
【提出日】平成24年6月28日(2012.6.28)
【手続補正１】
【補正対象書類名】明細書
【補正対象項目名】０００８
【補正方法】変更
【補正の内容】
【０００８】
上記目的を達成するため、本発明は、円筒状のケーシングと、このケーシングの開口部の内部に配置されて、当該開口部を開閉するシャッター部材と、前記シャッター部材を開閉駆動する駆動装置とを備え、前記開口部が遊技機の正面側を向くように取り付けられる遊技機用役物であって、前記シャッター部材は、外周形状が前記開口部の形状に合致する円盤形状を形成するように分割構成した複数の短冊状部材のそれぞれに前記ケーシングに軸支される軸部を取り付けて構成された複数のシャッター小片を組み合わせて構成され、
前記複数の短冊状部材のうち、前記分割構成により１つの辺が形成された短冊状部材には、その辺の略延長線上に前記軸部が一体的に取り付けられ、前記分割構成により辺が２つ形成された短冊状部材には、その短冊状部材の２つの辺のうち長い辺側の略延長線上に前記軸部が一体的に取り付けられ、前記複数のシャッター小片は、互いの前記軸部が平行となるように前記開口部の内部に配置されると共に、前記軸部の略延長線上にある辺が下側を向くようにして配置される第１シャッター小片と、前記軸部の略延長線上にある辺が上側を向くようにして配置される第２シャッター小片とで構成され、前記シャッター部材は、前記第１シャッター小片の短冊状部材と前記第２シャッター小片の短冊状部材とが平伏した閉じ位置と、この閉じ位置にある前記第１シャッター小片の短冊状部材と前記第２シャッター小片の短冊状部材とが互いに向かい合うように起き上がる開き位置との間で回動することを特徴としている。
【手続補正２】
【補正対象書類名】特許請求の範囲
【補正対象項目名】請求項１
【補正方法】変更
【補正の内容】
【請求項１】
円筒状のケーシングと、このケーシングの開口部の内部に配置されて、当該開口部を開閉するシャッター部材と、前記シャッター部材を開閉駆動する駆動装置とを備え、前記開口部が遊技機の正面側を向くように取り付けられる遊技機用役物であって、
前記シャッター部材は、外周形状が前記開口部の形状に合致する円盤形状を形成するように分割構成した複数の短冊状部材のそれぞれに前記ケーシングに軸支される軸部を取り付けて構成された複数のシャッター小片を組み合わせて構成され、
前記複数の短冊状部材のうち、前記分割構成により１つの辺が形成された短冊状部材には、その辺の略延長線上に前記軸部が一体的に取り付けられ、前記分割構成により辺が２つ形成された短冊状部材には、その短冊状部材の２つの辺のうち長い辺側の略延長線上に前記軸部が一体的に取り付けられ、
前記複数のシャッター小片は、互いの前記軸部が平行となるように前記開口部の内部に配置されると共に、前記軸部の略延長線上にある辺が下側を向くようにして配置される第１シャッター小片と、前記軸部の略延長線上にある辺が上側を向くようにして配置される第２シャッター小片とで構成され、
前記シャッター部材は、前記第１シャッター小片の短冊状部材と前記第２シャッター小片の短冊状部材とが平伏した閉じ位置と、この閉じ位置にある前記第１シャッター小片の短冊状部材と前記第２シャッター小片の短冊状部材とが互いに向かい合うように起き上がる開き位置との間で回動する
ことを特徴とする遊技機用役物。
【手続補正書】
【提出日】平成24年7月24日(2012.7.24)
【手続補正１】
【補正対象書類名】明細書
【補正対象項目名】発明の名称
【補正方法】変更
【補正の内容】
【発明の名称】流体噴射装置および治療機器
【手続補正２】
【補正対象書類名】特許請求の範囲
【補正対象項目名】全文
【補正方法】変更
【補正の内容】
【特許請求の範囲】
【請求項１】
第１液体または第２液体のいずれか一方を噴射させる一つの流体噴射部と、
前記流体噴射部に前記第１液体または前記第２液体を供給する流体供給手段と、
前記流体噴射部と前記流体供給手段とを接続する流体供給チューブと、
噴射させる流体を前記第１液体または前記第２液体のいずれか一方に切替える切替え手段と、
が備えられていることを特徴とする流体噴射装置。
【請求項２】
請求項１に記載の流体噴射装置において、
前記流体噴射部が、流体室と、前記流体室の容積を変更する容積変更手段とを有し、
前記容積変更手段を動作させて前記流体室の容積を変更することによって、前記流体を
パルス状に噴射させるパルス流噴射と、前記容積変更手段を停止させた状態で前記流体を噴射させる連続流噴射と、を切替える噴射指令切替え手段と、
が備えられていることを特徴とする流体噴射装置。
【請求項３】
請求項１または請求項２に記載の流体噴射装置において、
前記流体噴射部による前記第１液体の噴射圧力が、生体の組織を切除しない程度に制御されることを特徴とする流体噴射装置。
【請求項４】
請求項１または請求項２に記載の流体噴射装置において、
前記流体噴射部による前記第２液体の噴射圧力が、生体の組織を切除または切開することが可能な圧力に制御されることを特徴とする流体噴射装置。
【請求項５】
請求項１から請求項４のいずれか1項に記載の流体噴射装置であって、
前記第１液体が造影剤を含む液体または薬液を含む液体であって、前記第２液体は、水または生理食塩水であることを特徴とする流体噴射装置。
【請求項６】
請求項１から請求項５のいずれか1項に記載の流体噴射装置を含む治療機器。
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
被検体を配置する空間に静磁場を発生させる静磁場発生手段と、前記空間における静磁場を均一に調整するための静磁場均一度調整手段と、を備えた磁気共鳴イメージング装置の静磁場均一度を測定する方法であって、
前記空間内に、ＭＲ信号を発生するファントムを備え、前記ファントムに電磁波を照射し、前記ファントムからＭＲ信号を受信するＲＦプローブを固定する、複数の箇所に配置した固定治具を有するプレートを設置するプレート設置工程と、前記複数の固定治具の内、所望の固定治具にＲＦプローブを設置する工程と、前記所望の固定治具に設置したＲＦプローブによって静磁場均一度を測定する測定工程を含むことを特徴とする磁気共鳴イメージング装置の静磁場均一度測定方法。
【請求項２】
前記プレート設置工程では、被検体を配置する空間に対し発生させる静磁場に対し、略平行に前記プレートを設置し、前記プレートを、静磁場方向を回転軸として所定の回転角度で回転させる工程を含み、前記測定工程では、回転角度毎に静磁場均一度を測定することを特徴とする請求項１記載の静磁場均一度測定方法。
【請求項３】
外周台座と内周台座の２つに分離され、且つ、前記外周台座に対し前記内周台座が所定の角度で回転し固定する機構を備える台座と、前記外周台座と内周台座のどちらか一方に垂直に固定され、且つ、ＲＦプローブを固定する、複数の箇所に配置した固定治具を有するプレートと、を備えた静磁場均一度測定治具。
【請求項４】
被検体を配置する空間に静磁場を発生させる静磁場発生手段と、前記空間における静磁場を均一に調整するための静磁場均一度調整手段と、を備えた磁気共鳴イメージング装置の静磁場均一度を調整する方法であって、請求項１記載の静磁場均一度測定方法によって得られる静磁場均一度に基づいて、前記空間を挟んで対向するベース板に磁気片を配置し、前記空間の静磁場を均一に調整する工程を含む磁気共鳴イメージング装置の静磁場均一度調整方法。
【請求項５】
被検体を配置する空間に静磁場を発生させる静磁場発生手段と、Ｘ，Ｙ，Ｚの３軸方向に傾斜磁場を印加する傾斜磁場発生手段と、前記被検体の核磁気共鳴を発生させる高周波発振手段と、前記被検体からのエコー信号を検出する受信手段と、前記空間における静磁場を均一に調整するための静磁場均一度調整手段と、を備えた磁気共鳴イメージング装置であって、請求項４に記載の磁気共鳴イメージング装置の静磁場均一度調整方法により調整された磁気共鳴イメージング装置。
【手続補正書】
【提出日】平成24年9月4日(2012.9.4)
【手続補正１】
【補正対象書類名】明細書
【補正対象項目名】０００５
【補正方法】変更
【補正の内容】
【０００５】
特開２００９−０３０２１８号公報（特許文献３）にもまた、使い捨ておむつや生理用ナプキンのトップシートとして使用するのに好適な透液性不織布が開示されている。この不織布も、両面のうちの一方の面がほぼ平坦に形成されており、もう一方の面に機械方向へ互いに並行して延びる隆起部と谷部とが形成されていて、これら隆起部と谷部とが機械方向に直交する交差方向において、交互に並んでいる。隆起部には、不織布の厚さ方向へ配向した繊維が含まれている。
【手続補正２】
【補正対象書類名】明細書
【補正対象項目名】０００６
【補正方法】変更
【補正の内容】
【０００６】
【特許文献１】特開昭５８−１３２１５５号公報
【特許文献２】特開２００８−２５０７９号公報
【特許文献３】特開２００９−０３０２１８号公報
【手続補正３】
【補正対象書類名】明細書
【補正対象項目名】００３３
【補正方法】変更
【補正の内容】
【００３３】
図５，６は、図４のシート片１１１を得るための第１の不織布１３０ａをカードウエブ１００から製造する工程の一部分を示す図と、第１の不織布１３０ａからシート片１１１の連続体１３１を得るための工程の一部を示す図であって、図５の工程は特開２００９−０３０２１８号公報（特許文献３）によって公知のものである。
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
被写体に放射線を照射する放射線源と、
前記被写体を透過した放射線を検出する検出手段と、
断層画像を取得する範囲を定める基準面上の所定の基準点を基準とした、所望断層角度に基づいて算出される移動範囲内において、前記放射線源を前記検出手段に対して相対的に移動させ、前記放射線源の移動による複数の線源位置において前記被写体に前記放射線を照射して、前記複数の線源位置にそれぞれ対応する複数の撮影画像を取得する画像取得手段と、
前記複数の撮影画像を再構成することにより前記被写体の断層画像を生成する画像再構成手段と、
前記断層画像を生成する断層面の前記検出手段の検出面からの距離および前記所望断層角度に応じて、前記断層画像の再構成に使用する前記撮影画像を選別する選別手段とを備えたことを特徴とする放射線撮影装置。
【請求項２】
前記選別手段は、さらに前記断層画像を生成する断層面上の位置にも応じて、前記断層画像の再構成に使用する前記撮影画像を選別する手段であることを特徴とする請求項１記載の放射線撮影装置。
【請求項３】
前記放射線源を移動させる範囲を、前記基準面と前記放射線源との距離、および前記基準面上の前記所定の基準点を基準とした前記所望断層角度に基づいて算出する演算手段をさらに備えたことを特徴とする請求項１記載の放射線撮影装置。
【請求項４】
前記選別手段は、前記断層画像を生成する断層面と前記放射線源との距離、および前記断層面上の所定の基準点に対応する対応基準点を基準とした前記所望断層角度に基づいて、前記放射線源の移動範囲における撮像画像の選別範囲を算出し、該選別範囲内の線源位置において取得した撮影画像を選別する手段であることを特徴とする請求項１または３記載の放射線撮影装置。
【請求項５】
前記放射線源を移動させる範囲を、前記基準面と前記放射線源との距離、および前記基準面上の所定範囲の領域における、前記放射線源の移動方向において最も離れた位置にある２つの端部を基準とした前記所望断層角度に基づいて算出する演算手段をさらに備えたことを特徴とする請求項２記載の放射線撮影装置。
【請求項６】
前記選別手段は、前記断層画像を生成する断層面と前記放射線源との距離、および前記断層面上の前記断層画像を再構成する再構成点を基準とした前記所望断層角度に基づいて、前記放射線源の移動範囲における撮像画像の選別範囲を算出し、該選別範囲内の線源位置において取得した撮影画像を選別する手段であることを特徴とする請求項２または５記載の放射線撮影装置。
【請求項７】
前記基準面が、前記被写体を載置する天板の天板面、または前記被写体の関心領域における前記検出手段に最も近い面であることを特徴とする請求項１から６のいずれか１項記載の放射線撮影装置。
【手続補正２】
【補正対象書類名】明細書
【補正対象項目名】００１２
【補正方法】変更
【補正の内容】
【００１２】
なお、本発明による放射線撮影装置においては、前記選別手段を、さらに前記断層画像を生成する断層面上の位置にも応じて、前記断層画像の再構成に使用する前記撮影画像を選別する手段としてもよい。
【手続補正３】
【補正対象書類名】明細書
【補正対象項目名】００５９
【補正方法】変更
【補正の内容】
【００５９】
次いで、再構成部２２が断層画像を生成する断層面を最初の断層面に設定し（ｉ＝１、ステップＳＴ１５）、さらにその断層面における断層画像を再構成する画素列を最初の画素列に設定する（ｊ＝１、ステップＳＴ１６）。そして、選別部３０がその断層面の断層画素におけるその画素列を再構成するために使用する撮影画像を選別し（ステップＳＴ１７）、再構成部２２が、選別した撮影画像を再構成して断層画像のその画素列を再構成する（ステップＳＴ１８）。そして、再構成部２２は、断層画像のすべての画素列を再構成した否かを判定し（ステップＳＴ１９）、ステップＳＴ１９が否定されると、断層画像を再構成する画素列を次の画素列に設定し（ｊ＝ｊ＋１，ステップＳＴ２０）、ステップＳＴ１７に戻る。
【手続補正書】
【提出日】平成24年6月28日(2012.6.28)
【手続補正１】
【補正対象書類名】明細書
【補正対象項目名】０００８
【補正方法】変更
【補正の内容】
【０００８】
〔１〕  本発明に係るパチンコ機は、遊技球を流下させる遊技領域を有する遊技盤と、この遊技盤の盤面に略平行な面内で回転可能な回転板を有し、この回転板を動作させて遊技を演出するパチンコ機において、前記回転板が回転可能に収容されて前記遊技盤の背面側に取り付けられたケースと、前記回転板の回転中心よりも下側に位置する前記ケースの個所に設けられ、前記回転板の回転をガイドする下ガイド部と、前記回転中心よりも上側に位置する前記ケースの個所に設けられ、前記回転板の回転をガイドする上ガイド部と、前記回転板の回転の限界角度を規定するストッパ構造とを備え、前記回転板は、前記下ガイド部にガイドされる円弧状の第１被ガイド部と、この第１被ガイド部よりも小径に形成されて前記上ガイド部にガイドされる円弧状の第２被ガイド部と、前記第１，第２被ガイド部間に形成された段差部とを有し、前記ストッパ構造は、前記回転中心よりも上側においてその回転中心から前記第１被ガイド部の半径と同じ距離までの範囲内に位置する前記ケースの個所に設けられたストッパ部と、前記段差部とを備え、前記段差部が前記ストッパ部に当接することにより前記限界角度を超える前記回転板の回転が阻止されることを特徴とする。
【手続補正２】
【補正対象書類名】特許請求の範囲
【補正対象項目名】全文
【補正方法】変更
【補正の内容】
【特許請求の範囲】
【請求項１】
遊技球を流下させる遊技領域を有する遊技盤と、この遊技盤の盤面に略平行な面内で回転可能な回転板を有し、この回転板を動作させて遊技を演出するパチンコ機において、
前記回転板が回転可能に収容されて前記遊技盤の背面側に取り付けられたケースと、
前記回転板の回転中心よりも下側に位置する前記ケースの個所に設けられ、前記回転板の回転をガイドする下ガイド部と、
前記回転中心よりも上側に位置する前記ケースの個所に設けられ、前記回転板の回転をガイドする上ガイド部と、
前記回転板の回転の限界角度を規定するストッパ構造とを備え、
前記回転板は、前記下ガイド部にガイドされる円弧状の第１被ガイド部と、この第１被ガイド部よりも小径に形成されて前記上ガイド部にガイドされる円弧状の第２被ガイド部と、前記第１，第２被ガイド部間に形成された段差部とを有し、
前記ストッパ構造は、前記回転中心よりも上側においてその回転中心から前記第１被ガイド部の半径と同じ距離までの範囲内に位置する前記ケースの個所に設けられたストッパ部と、前記段差部とを備え、前記段差部が前記ストッパ部に当接することにより前記限界角度を超える前記回転板の回転が阻止される
ことを特徴とするパチンコ機。
【請求項２】
請求項１に記載のパチンコ機において、
遊技演出のための表示を行う表示部をさらに備え、
前記遊技盤の背面側に前記ケースが配され、このケースの背面側に前記表示部が配され、前記遊技盤には前記表示部の目視を可能にする窓が形成され、前記ケースおよび前記回転板には前記表示部の目視を可能にする透孔が形成された
ことを特徴とするパチンコ機。
【請求項３】
請求項２に記載のパチンコ機において、
前記ケースは前記遊技盤の盤面と略平行な方向に広がった背板部と、この背板部から前記遊技盤の方向に突出して形成された壁部を有し、
前記ストッパ部は、前記壁部よりも前記ケースの内方に位置し前記背板部から前記遊技盤の方向に突出して形成された基台部と、前記回転板の回転を阻止する際の前記段差部との当接部位であって前記基台部から前記遊技盤の方向に突出して設けられた本体部とを有し、
前記基台部は前記ケースの内方側の前記壁部の面に結合するよう前記壁部と一体に形成され、
前記ストッパ部の近傍に位置する前記壁部を前記遊技盤に嵌合させる嵌合構造が設けられた
ことを特徴とするパチンコ機。
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
所定の実行条件が成立した後にあらかじめ定められた開始条件が成立することにより各々が識別可能な複数種類の識別情報の可変表示を行ない表示結果を導出表示する可変表示装置と、遊技の進行を制御するとともにコマンドを出力する遊技制御手段と、前記遊技制御手段からのコマンドにもとづいて各種の制御を実行可能な演出制御手段とを備え、前記可変表示装置の表示結果が予め定められた特定表示結果となった後に遊技者に有利な特定遊技状態を発生させる遊技機であって、
前記遊技制御手段は、
前記実行条件は成立しているが未だ前記開始条件が成立していない前記実行条件の成立数を保留記憶する保留記憶手段と、
前記保留記憶手段に保留記憶されている成立数を特定するための成立数コマンドを前記演出制御手段に出力する成立数コマンド出力手段とを含み、
前記演出制御手段は、
前記成立数コマンドの入力を契機に、前記可変表示の表示結果が前記特定表示結果となる旨の予告を実行するか否かの予告判定を行なう予告判定手段と、
前記予告判定手段により前記予告を実行する旨の予告判定がなされたときに、前記成立数コマンドに基づいて前記予告を実行する予告実行回数をさらに判定する予告実行回数判定手段と、
該予告実行回数判定手段が判定した予告実行回数に応じた回数分の識別情報の可変表示が行われる毎に所定の予告手段で前記予告を実行する予告実行手段とを備え、
前記予告実行手段は、実行中の前記予告の実行態様を変化させることを特徴とする、遊技機。
【手続補正２】
【補正対象書類名】明細書
【補正対象項目名】０００１
【補正方法】変更
【補正の内容】
【０００１】
本発明は、パチンコ遊技機などで代表される遊技機に関する。詳しくは、所定の実行条件が成立した後にあらかじめ定められた開始条件が成立することにより各々が識別可能な複数種類の識別情報の可変表示を行ない表示結果を導出表示する可変表示装置と、遊技の進行を制御するとともにコマンドを出力する遊技制御手段と、前記遊技制御手段からのコマンドにもとづいて各種の制御を実行可能な演出制御手段とを備え、前記可変表示装置の表示結果が予め定められた特定表示結果となった後に遊技者に有利な特定遊技状態を発生させる遊技機に関する。
【手続補正３】
【補正対象書類名】明細書
【補正対象項目名】０００５
【補正方法】変更
【補正の内容】
【０００５】
しかしながら、上記のような遊技機においては、予告報知がなされたときのさらなる期待感を抱かせることができなかった。
【手続補正４】
【補正対象書類名】明細書
【補正対象項目名】０００６
【補正方法】変更
【補正の内容】
【０００６】
この発明は上述の問題に鑑みてなされたものであり、その目的は、遊技者に予告報知のなされたときのさらなる期待感を抱かせることができる遊技機を提供することである。
【手続補正５】
【補正対象書類名】明細書
【補正対象項目名】０００７
【補正方法】変更
【補正の内容】
【０００７】
（１）  所定の実行条件が成立（たとえば、打玉が始動入賞口１４に入賞）した後にあらかじめ定められた開始条件が成立（たとえば、変動パターンコマンドを受信等）することにより各々が識別可能（たとえば、遊技者がそれぞれを区別し認識可能）な複数種類の識別情報（たとえば、数字図柄「１」〜「９」等）の可変表示を行ない表示結果を導出表示する可変表示装置（たとえば、可変表示装置８）と、遊技の進行を制御するとともにコマンドを出力する遊技制御手段（遊技制御基板３１に搭載されたマイクロコンピュータ等）と、前記遊技制御手段からのコマンドにもとづいて各種の制御を実行可能な演出制御手段（表示制御基板８０に搭載されたマイクロコンピュータ等）とを備え、前記可変表示装置の表示結果が予め定められた特定表示結果となった後に遊技者に有利な特定遊技状態（たとえば、大当り）を発生させる遊技機（パチンコ遊技機１）であって、
前記遊技制御手段は、
前記実行条件は成立しているが未だ前記開始条件が成立していない前記実行条件の成立数（たとえば、保留記憶数）を保留記憶する保留記憶手段（遊技制御基板３１のＲＡＭ５５，図１５のＳＢ０６等参照）と、
前記保留記憶手段に保留記憶されている成立数を特定するための成立数コマンド（たとえば、保留記憶数コマンド等）を前記演出制御手段に出力する成立数コマンド出力手段（図１３のＳ１４等参照）とを含み、
前記演出制御手段は、
前記成立数コマンドの入力を契機に、前記可変表示の表示結果が前記特定表示結果となる旨の予告（たとえば、遊技者に報知する、予告等）を実行するか否かの予告判定を行なう予告判定手段（図２１のＳＨ０８からＳＨ１３等参照）と、
前記予告判定手段により前記予告を実行する旨の予告判定がなされたとき（たとえば、図１９のＳＦ０４，ＳＦ０５で「ＹＥＳ」と判別されたとき等）に、前記成立数コマンドに基づいて前記予告を実行する予告実行回数をさらに判定する予告実行回数判定手段と、
該予告実行回数判定手段が判定した予告実行回数に応じた回数分の識別情報の可変表示が行われる毎に所定の予告手段で前記予告を実行する予告実行手段（図１８のＳＥ１３，ＳＥ１８等参照）とを備え、
前記予告実行手段は、実行中の前記予告の実行態様を変化させる。
【手続補正６】
【補正対象書類名】明細書
【補正対象項目名】０００８
【補正方法】変更
【補正の内容】
【０００８】
上述の構成によれば、予告実行回数判定手段が判定した予告実行回数に応じた回数分の識別情報の可変表示が行われる毎に所定の予告手段で予告が実行されるために、遊技者の抱く期待感をより一層盛り上げることができる。
また、実行中の予告の実行態様が変化するために、予告態様の変化に遊技者の関心を集め、興味を持たせることができるとともにさらなる期待感を抱かせることができ予告演出を向上させることができる。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
表示状態が変化可能な可変表示装置を含み、遊技者が所定の遊技を行うことが可能な遊技機であって、
前記可変表示装置を制御する演出制御手段と、
遊技の進行を制御するとともに、遊技の進行状況に応じて演出制御信号を前記演出制御手段に送信する遊技制御手段とを備え、
前記演出制御手段は、
受信した前記演出制御信号がリーチ演出表示の実行を示すものでなかった場合に所定の割合でリーチ演出表示が行われる旨を示す予告演出を実行し、受信した前記演出制御信号がリーチ演出表示の実行を示すものであった場合にリーチ演出表示を行うとともに前記所定の割合よりも高い割合で前記予告演出を実行し、
前記演出制御信号がリーチ演出表示の実行を示さなかった履歴情報を更新記憶し、前記履歴情報が所定条件を満たしたことにもとづいて、受信した演出制御信号がリーチ演出表示の実行を示すものでない場合であっても前記所定の割合よりも高い割合で前記予告演出を実行する
ことを特徴とする遊技機。
【請求項２】
識別情報の可変表示を開始し表示結果を導出表示する可変表示装置を含み、該可変表示装置に特定表示結果が導出表示されたときに遊技状態を遊技者にとって有利な特定遊技状態に移行させる遊技機であって、
前記可変表示装置を制御する演出制御手段と、
遊技の進行を制御するとともに、遊技の進行状況に応じて演出制御信号を前記演出制御手段に送信する遊技制御手段とを備え、
前記演出制御手段は、
前記演出制御信号が可変表示の表示結果を前記特定表示結果としないことを示すものである場合に所定の割合で可変表示の表示結果が前記特定表示結果となる旨を示す予告演出を実行し、受信した前記演出制御信号が可変表示の表示結果を前記特定表示結果とすることを示すものである場合に前記所定の割合よりも高い割合で前記予告演出を実行し、
前記演出制御信号が可変表示の表示結果を前記特定表示結果としないことを示すものであった履歴情報を更新記憶し、前記履歴情報が所定条件を満たしたことにもとづいて、受信した演出制御信号が可変表示の表示結果を前記特定表示結果としないことを示すものである場合であっても前記所定の割合よりも高い割合で前記予告演出を実行する
ことを特徴とする遊技機。
【手続補正２】
【補正対象書類名】明細書
【補正対象項目名】００１０
【補正方法】変更
【補正の内容】
【００１０】
本発明による遊技機は、表示状態が変化可能な可変表示装置を含み、遊技者が所定の遊技を行うことが可能な遊技機であって、可変表示装置を制御する演出制御手段と、遊技の進行を制御するとともに、遊技の進行状況に応じて演出制御信号を演出制御手段に送信する遊技制御手段とを備え、演出制御手段は、受信した演出制御信号がリーチ演出表示の実行を示すものでなかった場合に所定の割合でリーチ演出表示が行われる旨を示す予告演出を実行し、受信した演出制御信号がリーチ演出表示の実行を示すものであった場合にリーチ演出表示を行うとともに所定の割合よりも高い割合で予告演出を実行し、演出制御信号がリーチ演出表示の実行を示さなかった履歴情報を更新記憶し、履歴情報が所定条件を満たしたこと（例えば、可変表示回数が所定数となったこと）にもとづいて、受信した演出制御信号がリーチ演出表示の実行を示すものでない場合であっても所定の割合よりも高い割合で予告演出を実行することを特徴とする。
【手続補正３】
【補正対象書類名】明細書
【補正対象項目名】００１１
【補正方法】変更
【補正の内容】
【００１１】
また、本発明による遊技機は、識別情報の可変表示を開始し表示結果を導出表示する可変表示装置を含み、該可変表示装置に特定表示結果が導出表示されたときに遊技状態を遊技者にとって有利な特定遊技状態に移行させる遊技機であって、可変表示装置を制御する演出制御手段と、遊技の進行を制御するとともに、遊技の進行状況に応じて演出制御信号を演出制御手段に送信する遊技制御手段とを備え、演出制御手段は、演出制御信号が可変表示の表示結果を特定表示結果としないことを示すものである場合に所定の割合で可変表示の表示結果が特定表示結果となる旨を示す予告演出を実行し、受信した演出制御信号が可変表示の表示結果を特定表示結果とすることを示すものである場合に所定の割合よりも高い割合で予告演出を実行し、演出制御信号が可変表示の表示結果を特定表示結果としないことを示すものであった履歴情報を更新記憶し、履歴情報が所定条件を満たしたこと（例えば、可変表示回数が所定数となったこと）にもとづいて、受信した演出制御信号が可変表示の表示結果を特定表示結果としないことを示すものである場合であっても所定の割合よりも高い割合で予告演出を実行することを特徴とする。
【手続補正４】
【補正対象書類名】明細書
【補正対象項目名】００２２
【補正方法】変更
【補正の内容】
【００２２】
本発明によれば、演出制御手段が、受信した演出制御信号がリーチ演出表示の実行を示すものでなかった場合に所定の割合でリーチ演出表示が行われる旨を示す予告演出を実行し、受信した演出制御信号がリーチ演出表示の実行を示すものであった場合にリーチ演出表示を行うとともに所定の割合よりも高い割合で予告演出を実行し、演出制御信号がリーチ演出表示の実行を示さなかった履歴情報を更新記憶し、履歴情報が所定条件を満たしたことにもとづいて、受信した演出制御信号がリーチ演出表示の実行を示すものでない場合であっても所定の割合よりも高い割合で予告演出を実行するように構成されているので、履歴情報に応じて予告演出を行うように制御することが可能となる。また、演出制御信号がリーチ演出表示の実行を示さなかった履歴情報を参酌して可変表示装置により予告演出を行うことが可能となるので、しばらくリーチ演出表示がなされなかった場合であっても遊技者を飽きさせない遊技機を提供することが可能となる。